(57)【要約】【課題】空間ストリーム決定方法、基地局、およびユーザ機器を提供する。【解決手段】方法は、基地局により、フィードバックモード指示をユーザ機器に送信するステップであって、指示は、パケット粒度に基づいてチャネル状態レポート（CSR）情報をフィードバックするようユーザ機器に指示するために使用され、各パケット粒度が少なくとも1つの空間ストリームを含む、ステップ（101）と、ユーザ機器によって送信された各パケット粒度のCSR情報を受信するステップ（102）と、各パケット粒度のCSR情報に従って、データをユーザ機器に伝送するために使用される空間ストリームを決定するステップ（103）とを含む。ユーザ機器がCSR情報をレポートするためにパケット粒度として少なくとも1つの空間ストリームを使用するので、CSR情報はより正確であり、使用される空間ストリームを選択することの適切性を改善し、システムリソースの利用を向上させる。【選択図】図１
2019024255.tif 000002
【特許請求の範囲】
【請求項１】
空間ストリーム決定方法であって、
基地局により、構成情報をユーザ機器に送信するステップであって、前記構成情報が、パケット粒度に含まれる空間ストリームの量を含む、ステップと、
前記基地局により、フィードバックモード指示を前記ユーザ機器に送信するステップであって、前記フィードバックモード指示が、前記ユーザ機器に、前記パケット粒度に基づいて、チャネル状態レポート（CSR）情報をフィードバックするように指示するために使用され、各パケット粒度が、少なくとも1つの空間ストリームを含む、ステップと、
前記基地局により、前記ユーザ機器によって送信された各パケット粒度のCSR情報を受信するステップと、
前記基地局により、各パケット粒度の前記CSR情報に従って、データを前記ユーザ機器に伝送するために使用される空間ストリームを決定するステップと
を有する方法。
【請求項２】
前記構成情報が、以下のパラメータ、すなわち、前記CSR情報によって占められる時間−周波数リソース、および異なるパケット粒度のCSR情報のフードバック方式情報、のうちの少なくとも1つをさらに含む、請求項1に記載の方法。
【請求項３】
各パケット粒度の前記CSR情報は、各パケット粒度における空間ストリームのチャネル品質の平均値についての情報、および各空間ストリームの前記チャネル品質と前記平均値との間の差についての情報を含む、請求項1または2に記載の方法。
【請求項４】
各パケット粒度の前記CSR情報は、各パケット粒度における各空間ストリームのチャネル品質情報を含み、
前記基地局により、前記ユーザ機器によって送信された各パケット粒度のCSR情報を受信する前記ステップの後に、
前記基地局により、各パケット粒度における各空間ストリームの前記チャネル品質情報に従って、各パケット粒度における空間ストリームのチャネル品質の平均値についての情報、および各空間ストリームの前記チャネル品質と前記平均値との間の差についての情報を決定するステップ
をさらに有する、請求項1または2に記載の方法。
【請求項５】
各パケット粒度に含まれる空間ストリームの量が、各コードワードに含まれる空間ストリームの量よりも少ない、請求項1から4のいずれか一項に記載の方法。
【請求項６】
空間ストリーム決定方法であって、
ユーザ機器により、基地局によって送信された構成情報を受信するステップであって、前記構成情報が、パケット粒度に含まれる空間ストリームの量を含む、ステップと、
前記ユーザ機器により、前記基地局によって送信されたフィードバックモード指示を受信するステップであって、前記フィードバックモード指示が、前記ユーザ機器に、前記パケット粒度に基づいて、チャネル状態レポート（CSR）情報をフィードバックするように指示するために使用され、各パケット粒度が、少なくとも1つの空間ストリームを含む、ステップと、
前記ユーザ機器により、各空間ストリームのチャネル品質情報を測定し、前記チャネル品質情報に従って、各パケット粒度のCSR情報を取得するステップと、
前記ユーザ機器により、前記フィードバックモード指示に従って、各パケット粒度の前記CSR情報を前記基地局に送信するステップと
を有する方法。
【請求項７】
前記構成情報が、以下のパラメータ、すなわち、前記CSR情報によって占められる時間−周波数リソース、および異なるパケット粒度のCSR情報のフィードバック方式情報、のうちの少なくとも1つをさらに含む、請求項6に記載の方法。
【請求項８】
各パケット粒度の前記CSR情報が、各パケット粒度における空間ストリームのチャネル品質の平均値についての情報、および各空間ストリームの前記チャネル品質と前記平均値との間の差についての情報を含むか、または
各パケット粒度の前記CSR情報が、各パケット粒度における各空間ストリームのチャネル品質情報を含む、請求項6または7に記載の方法。
【請求項９】
各パケット粒度に含まれる空間ストリームの量が、各コードワードに含まれる空間ストリームの量よりも少ない、請求項6から8のいずれか一項に記載の方法。
【請求項１０】
基地局であって、
構成情報をユーザ機器に送信するように、かつフィードバックモード指示を前記ユーザ機器に送信するように構成された送信器であって、前記構成情報が、パケット粒度に含まれる空間ストリームの量を含み、前記フィードバックモード指示が、前記ユーザ機器に、前記パケット粒度に基づいて、チャネル状態レポート（CSR）情報をフィードバックするように指示するために使用され、各パケット粒度が、少なくとも1つの空間ストリームを含む、送信器と、
前記ユーザ機器によって送信された各パケット粒度のCSR情報を受信するように構成された受信器と、
各パケット粒度の前記CSR情報に従って、データを前記ユーザ機器に伝送するために使用される空間ストリームを決定するように構成されたプロセッサと
を備える基地局。
【請求項１１】
前記構成情報は、以下のパラメータ、すなわち、前記CSR情報によって占められる時間−周波数リソース、および異なるパケット粒度のCSR情報のフィードバック方式情報、のうちの少なくとも1つをさらに含む、請求項10に記載の基地局。
【請求項１２】
各パケット粒度の前記CSR情報は、各パケット粒度における空間ストリームのチャネル品質の平均値についての情報、および各空間ストリームの前記チャネル品質と前記平均値との間の差についての情報を含む、請求項10または11に記載の基地局。
【請求項１３】
各パケット粒度の前記CSR情報は、各パケット粒度における各空間ストリームのチャネル品質情報を含み、
前記プロセッサは、前記受信器が前記ユーザ機器によって送信された各パケット粒度の前記CSR情報を受信した後、各パケット粒度における各空間ストリームの前記チャネル品質情報に従って、各パケット粒度における空間ストリームのチャネル品質の平均値についての情報、および各空間ストリームの前記チャネル品質と前記平均値との間の差についての情報を決定するようにさらに構成される、請求項10または11に記載の基地局。
【請求項１４】
各パケット粒度に含まれる空間ストリームの量が、各コードワードに含まれる空間ストリームの量よりも少ない、請求項10から13のいずれか一項に記載の基地局。
【請求項１５】
ユーザ機器であって、
基地局によって送信された構成情報を受信するように、かつ前記基地局によって送信されたフィードバックモード指示を受信するように構成された受信器であって、前記構成情報が、パケット粒度に含まれる空間ストリームの量を含み、前記フィードバックモード指示が、前記ユーザ機器に、前記パケット粒度に基づいて、チャネル状態レポート（CSR）情報をフィードバックするように指示するために使用され、各パケット粒度が、少なくとも1つの空間ストリームを含む、受信器と、
各空間ストリームのチャネル品質情報を測定し、前記チャネル品質情報に従って、各パケット粒度のCSR情報を取得するように構成されたプロセッサと、
前記受信器が受信した前記フィードバックモード指示に従って、各パケット粒度の前記CSR情報を前記基地局に送信するように構成された送信器と
を備えるユーザ機器。
【請求項１６】
前記構成情報は、以下のパラメータ、すなわち、前記CSR情報によって占められる時間−周波数リソース、および異なるパケット粒度のCSR情報のフィードバック方式情報、のうちの少なくとも1つをさらに含む、請求項15に記載のユーザ機器。
【請求項１７】
各パケット粒度の前記CSR情報が、各パケット粒度における空間ストリームのチャネル品質の平均値についての情報、および各空間ストリームの前記チャネル品質と前記平均値との間の差についての情報を含むか、または
各パケット粒度の前記CSR情報が、各パケット粒度における各空間ストリームのチャネル品質情報を含む、請求項15または16に記載のユーザ機器。
【請求項１８】
各パケット粒度に含まれる空間ストリームの量が、各コードワードに含まれる空間ストリームの量よりも少ない、請求項15から17のいずれか一項に記載のユーザ機器。
【発明の詳細な説明】
【技術分野】
【０００１】
本発明は、無線通信技術の分野に関し、特に、空間ストリーム決定方法、基地局、およびユーザ機器に関する。
【背景技術】
【０００２】
第3世代パートナーシップ・プロジェクト・ロング・ターム・エボリューション（Long Term Evolution、略して、LTE）システムでは、ユーザ機器はダウンリンクチャネルの取得したチャネル状態情報（Channel State Information、略して、CSI）を、基地局にフィードバックし、基地局は、フィードバックされたチャネル状態情報に従ってユーザ機器に対して、適切な通信データ変調および符号化方式、データ伝送速度、ならびに伝送サブバンドを選択する。マルチユーザ・マルチ入力・マルチ出力（Multi User Multiple-Input Multiple-Output、略して、MU-MIMO）通信方式が、LTE R10に導入され、すなわち、マルチアンテナ機構が、ユーザ機器に導入され、複数のユーザ機器が、同時に通信する。この機構では、発展型NodeB（Evolved Node B、略して、eNodeB）端でのアンテナの数量が、比較的多くなる。複数のアンテナをユーザ機器端に導入することによって、単一ユーザ機器は、eNodeBで複数データストリームを確立することができ、それにより、より高い空間多重化利得をもたらすことができる。
【０００３】
先行技術では、ユーザ機器は、チャネル状態レポート（Chanel State Report、略して、CSR）情報を、コードワード粒度に基づいて、基地局にフィードバックし、すなわち、基地局に、ユーザ機器と基地局との間で情報伝達するための各コードワードに含まれる空間ストリームの全体的なチャネル品質情報をフィードバックし、基地局は、各コードワード内の空間ストリームの全体的なチャネル品質の状態に従って、ダウンリンクリソースをスケジュールするが、本方法は、基地局によって実行される不適切な空間ストリームスケジューリングを引き起こす可能性があり、それにより、システムリソースの浪費の引き起こす可能性がある。
【発明の概要】
【課題を解決するための手段】
【０００４】
本発明の実施態様は、空間ストリーム決定方法、基地局、およびユーザ機器を提供し、システムリソースが不適切な空間ストリームスケジューリングにより浪費されるという問題を解決する。
【０００５】
本発明の第1の態様は、以下を含む空間ストリーム決定方法を提供し、すなわち、
基地局により、フィードバックモード指示をユーザ機器に送信するステップであって、フィードバックモード指示が、ユーザ機器に、パケット粒度に基づいて、チャネル状態レポート（CSR）情報をフィードバックするように指示するために使用され、各パケット粒度が、少なくとも1つの空間ストリームを含む、ステップと、
基地局により、ユーザ機器によって送信された各パケット粒度のCSR情報を受信するステップと、
基地局により、各パケット粒度のCSR情報に従って、データをユーザ機器に伝送するために使用される空間ストリームを決定するステップと
を含む。
【０００６】
第1の態様の第1の可能な実装態様において、基地局により、ユーザ機器によって送信された各パケット粒度のCSR情報を受信するステップの前に、本方法は、
基地局により、構成情報をユーザ機器に送信するステップであって、構成情報が、以下のパラメータ、すなわち、各パケット粒度に含まれる空間ストリームの量、CSR情報によって占められる時間−周波数リソース、および異なるパケット粒度のCSR情報のフードバック方式情報、のうちの少なくとも1つを含む、ステップ
をさらに含む。
【０００７】
第1の態様または第1の態様の第1の可能な実装態様を参照すると、第1の態様の第2の可能な実装態様において、各パケット粒度のCSR情報は、各パケット粒度における空間ストリームのチャネル品質の平均値についての情報、および各空間ストリームのチャネル品質と平均値との間の差についての情報を含む。
【０００８】
第1の態様または第1の態様の第1の可能な実装態様を参照すると、第1の態様の第3の可能な実装態様において、各パケット粒度のCSR情報は、各パケット粒度における各空間ストリームのチャネル品質情報を含み、
基地局により、ユーザ機器によって送信された各パケット粒度のCSR情報を受信するステップの後、本方法は、
基地局により、各パケット粒度における各空間ストリームのチャネル品質情報に従って、各パケット粒度における空間ストリームのチャネル品質の平均値についての情報、および各空間ストリームのチャネル品質と平均値との間の差についての情報を決定するステップ
をさらに含む。
【０００９】
第1の態様および第1の態様の第1から第3の可能な実装態様のいずれか1つを参照すると、第1の態様の第4の可能な実装態様において、各パケット粒度に含まれる空間ストリームの量は、各コードワードに含まれる空間ストリームの量よりも少ない。
【００１０】
本発明の第2の態様は、以下を含む空間ストリーム決定方法を提供し、すなわち、
ユーザ機器により、基地局によって送信されたフィードバックモード指示を受信するステップであって、フィードバックモード指示が、ユーザ機器に、パケット粒度に基づいて、チャネル状態レポート（CSR）情報をフィードバックするように指示するために使用され、各パケット粒度が、少なくとも1つの空間ストリームを含む、ステップと、
ユーザ機器により、各空間ストリームのチャネル品質情報を測定し、チャネル品質情報に従って、各パケット粒度のCSR情報を取得するステップと、
ユーザ機器により、フィードバックモード指示に従って、各パケット粒度のCSR情報を基地局に送信するステップと
を含む。
【００１１】
第2の態様の第1の可能な実装態様において、ユーザ機器により、各空間ストリームのチャネル品質情報を測定するステップの前に、本方法は、
ユーザ機器により、基地局によって送信された構成情報を受信するステップであって、構成情報が、以下のパラメータ、すなわち、各パケット粒度に含まれる空間ストリームの量、CSR情報によって占められる時間−周波数リソース、および異なるパケット粒度のCSRのフィードバック方式情報、のうちの少なくとも1つを含む、ステップ
をさらに含む。
【００１２】
第2の態様または第2の態様の第1の可能な実装態様を参照すると、第2の態様の第2の可能な実装態様において、各パケット粒度のCSR情報は、各パケット粒度における空間ストリームのチャネル品質の平均値についての情報、および各空間ストリームのチャネル品質と平均値との間の差についての情報を含むか、または各パケット粒度のCSR情報は、各パケット粒度における各空間ストリームのチャネル品質情報を含む。
【００１３】
第2の態様および第2の態様の第1から第2の可能な実装態様のいずれか1つを参照すると、第2の態様の第3の可能な実装態様において、各パケット粒度に含まれる空間ストリームの量は、各コードワードに含まれる空間ストリームの量よりも少ない。
【００１４】
本発明の第3の態様は、以下を含む基地局を提供し、すなわち、
フィードバックモード指示をユーザ機器に送信するように構成された第1の送信モジュールであって、フィードバックモード指示が、ユーザ機器に、パケット粒度に基づいて、チャネル状態レポート（CSR）情報をフィードバックするように指示するために使用され、各パケット粒度が、少なくとも1つの空間ストリームを含む、第1の送信モジュールと、
ユーザ機器によって送信された各パケット粒度のCSR情報を受信するように構成された受信モジュールと、
各パケット粒度のCSR情報に従って、データをユーザ機器に伝送するために使用される空間ストリームを決定するように構成された第1の決定モジュールと
を含む。
【００１５】
第3の態様の第1の可能な実装態様において、基地局は、受信モジュールが、ユーザ機器によって送信された各パケット粒度のCSR情報を受信する前に、構成情報をユーザ機器に送信する第2の送信モジュールをさらに含み、構成情報は、以下のパラメータ、すなわち、各パケット粒度に含まれる空間ストリームの量、CSR情報によって占められる時間−周波数リソース、および異なるパケット粒度のCSR情報のフィードバック方式情報、のうちの少なくとも1つを含む。
【００１６】
第3の態様または第3の態様の第1の可能な実装態様を参照すると、第3の態様の第2の可能な実装態様において、各パケット粒度のCSR情報は、各パケット粒度における空間ストリームのチャネル品質の平均値についての情報、および各空間ストリームのチャネル品質と平均値との間の差についての情報を含む。
【００１７】
第3の態様または第3の態様の第1の可能な実装態様を参照すると、第3の態様の第3の可能な実装態様において、基地局は、第2の決定モジュールをさらに含み、
各パケット粒度のCSR情報は、各パケット粒度における各空間ストリームのチャネル品質情報を含み、
第2の決定モジュールは、受信モジュールが、ユーザ機器によって送信された各パケット粒度のCSR情報を受信した後、各パケット粒度における空間ストリームのチャネル品質の平均値についての情報、および各パケット粒度における各空間ストリームのチャネル品質情報に従って、各空間ストリームのチャネル品質と平均値との間の差についての情報を決定するように構成される。
【００１８】
第3の態様および第3の態様の第1から第3の可能な実装態様のいずれか1つを参照すると、第3の態様の第4の可能な実装態様において、各パケット粒度に含まれる空間ストリームの量は、各コードワードに含まれる空間ストリームの量よりも少ない。
【００１９】
本発明の第4の態様は、以下を含むユーザ機器を提供し、すなわち、
基地局によって送信されたフィードバックモード指示を受信するように構成された第1の受信モジュールであって、フィードバックモード指示が、ユーザ機器に、パケット粒度に基づいて、チャネル状態レポート（CSR）情報をフィードバックするように指示するために使用され、各パケット粒度が、少なくとも1つの空間ストリームを含む、第1の受信モジュールと、
各空間ストリームのチャネル品質情報を測定し、チャネル品質情報に従って、各パケット粒度のCSR情報を取得するように構成された測定モジュールと、
各パケット粒度のCSR情報を、受信モジュールが受信したフィードバックモード指示に従って、基地局に送信するように構成された送信モジュールと
を含む。
【００２０】
第4の態様の第1の可能な実装態様において、ユーザ機器は、測定モジュールが各空間ストリームのチャネル品質情報を測定する前に、基地局によって送信された構成情報を受信するように構成された第2の受信モジュールをさらに含み、構成情報は、以下のパラメータ、すなわち、各パケット粒度に含まれる空間ストリームの量、CSR情報によって占められる時間−周波数リソース、および異なるパケット粒度のCSR情報のフィードバック方式情報、のうちの少なくとも1つを含む。
【００２１】
第4の態様または第4の態様の第1の可能な実装態様を参照すると、第4の態様の第2の可能な実装態様において、各パケット粒度のCSR情報は、各パケット粒度における空間ストリームのチャネル品質の平均値についての情報、および各空間ストリームのチャネル品質と平均値との間の差についての情報を含むか、または各パケット粒度のCSR情報は、各パケット粒度における各空間ストリームのチャネル品質情報を含む。
【００２２】
第4の態様および第4の態様の第1から第2の可能な実装態様のいずれか1つを参照すると、第4の態様の第3の可能な実装態様において、各パケット粒度に含まれる空間ストリームの量は、各コードワードに含まれる空間ストリームの量よりも少ない。
【００２３】
本発明の第5の態様は、以下を含む基地局を提供し、すなわち、
フィードバックモード指示をユーザ機器に送信するように構成された送信器であって、フィードバックモード指示が、ユーザ機器に、パケット粒度に基づいて、チャネル状態レポート（CSR）情報をフィードバックするように指示するために使用され、各パケット粒度が、少なくとも1つの空間ストリームを含む、送信器と、
ユーザ機器によって送信された各パケット粒度のCSR情報を受信するように構成された受信器と、
各パケット粒度のCSR情報に従って、データをユーザ機器に伝送するために使用される空間ストリームを決定するように構成されたプロセッサと
を含む。
【００２４】
第5の態様の第1の可能な実装態様において、送信器は、受信器が、ユーザ機器によって送信された各パケット粒度のCSR情報を受信する前に、構成情報をユーザ機器に送信するようさらに構成され、構成情報は、以下のパラメータ、すなわち、各パケット粒度に含まれる空間ストリームの量、CSR情報によって占められる時間−周波数リソース、および異なるパケット粒度のCSR情報のフィードバック方式情報、のうちの少なくとも1つを含む。
【００２５】
第5の態様または第5の態様の第1の可能な実装態様を参照すると、第5の態様の第2の可能な実装態様において、各パケット粒度のCSR情報は、各パケット粒度における空間ストリームのチャネル品質の平均値についての情報、および各空間ストリームのチャネル品質と平均値との間の差についての情報を含む。
【００２６】
第5の態様または第5の態様の第1の可能な実装態様を参照すると、第5の態様の第3の可能な実装態様において、各パケット粒度のCSR情報は、各パケット粒度における各空間ストリームのチャネル品質情報を含み、
プロセッサは、受信器がユーザ機器によって送信された各パケット粒度のCSR情報を受信した後、各パケット粒度における各空間ストリームのチャネル品質情報に従って、各パケット粒度における空間ストリームのチャネル品質の平均値についての情報、および各空間ストリームのチャネル品質と平均値との間の差についての情報を決定するようにさらに構成される。
【００２７】
第5の態様および第5の態様の第1から第3の可能な実装態様のいずれか1つを参照すると、第5の態様の第4の可能な実装態様において、各パケット粒度に含まれる空間ストリームの量は、各コードワードに含まれる空間ストリームの量よりも少ない。
【００２８】
本発明の第6の態様は、以下を含むユーザ機器を提供し、すなわち、
基地局によって送信されたフィードバックモード指示を受信するように構成された受信器であって、フィードバックモード指示が、ユーザ機器に、パケット粒度に基づいて、チャネル状態レポート（CSR）情報をフィードバックするように指示するために使用され、各パケット粒度が、少なくとも1つの空間ストリームを含む、受信器と、
各空間ストリームのチャネル品質情報を測定し、チャネル品質情報に従って、各パケット粒度のCSR情報を取得するように構成されたプロセッサと、
受信器が受信したフィードバックモード指示に従って、各パケット粒度のCSR情報を基地局に送信するように構成された送信器と
を含む。
【００２９】
第6の態様の第1の可能な実装態様において、受信器は、プロセッサが各空間ストリームのチャネル品質情報を測定する前に、基地局によって送信された構成情報を受信するようさらに構成され、構成情報は、以下のパラメータ、すなわち、各パケット粒度に含まれる空間ストリームの量、CSR情報によって占められる時間−周波数リソース、および異なるパケット粒度のCSR情報のフィードバック方式情報、のうちの少なくとも1つを含む。
【００３０】
第6の態様または第6の態様の第1の可能な実装態様を参照すると、第6の態様の第2の可能な実装態様において、各パケット粒度のCSR情報は、各パケット粒度における空間ストリームのチャネル品質の平均値についての情報、および各空間ストリームのチャネル品質と平均値との間の差についての情報を含むか、または各パケット粒度のCSR情報は、各パケット粒度における各空間ストリームのチャネル品質情報を含む。
【００３１】
第6の態様および第6の態様の第1から第2の可能な実装態様のいずれか1つを参照すると、第6の態様の第3の可能な実装態様において、各パケット粒度に含まれる空間ストリームの量は、各コードワードに含まれる空間ストリームの量よりも少ない。
【００３２】
本発明の実施態様によって提供される空間ストリーム決定方法では、基地局は、フィードバックモード指示をユーザ機器に送信し、フィードバックモード指示は、ユーザ機器に、パケット粒度に基づいて、チャネル状態レポート（CSR）情報をフィードバックするように指示するために使用され、各パケット粒度は、少なくとも1つの空間ストリームを含み、次いで、ユーザ機器によって送信された各パケット粒度のチャネル状態レポート（CSR）情報を受信し、最後に、基地局は、各パケット粒度のCSR情報に従って、データをユーザ機器に伝送するために使用される空間ストリームを決定することができる。ユーザ機器は、CSR情報をレポートするためにパケット粒度として少なくとも1つの空間ストリームを使用するため、CSR情報は、より正確であり、それにより、ユーザに対して基地局によって、データを伝送するために使用される空間ストリームを選択することの適切性を改善し、システムリソースの利用を向上させる。
【００３３】
本発明の実施態様における、または先行技術における技術的解決策をより明確に説明するために、以下に、本発明または先行技術を説明するために必要とされる添付図面を簡潔に説明する。当然ながら、以下の説明における添付図面は、本発明の一部の実施形態を示し、当業者は、創造的労力無しにこれらの添付図面から他の図面をさらに導出することができる。
【図面の簡単な説明】
【００３４】
【図１】本発明の一実施形態による空間ストリーム決定方法のフローチャートである。
【図２】本発明の別の実施形態による空間ストリーム決定方法のフローチャートである。
【図３】本発明のさらに別の実施形態による空間ストリーム決定方法のフローチャートである。
【図４】本発明のさらに別の実施形態による空間ストリーム決定方法のフローチャートである。
【図５】本発明の一実施形態による基地局の概略構造図である。
【図６】本発明の別の実施形態による基地局の概略構造図である。
【図７】本発明のさらに別の実施形態による基地局の概略構造図である。
【図８】本発明の一実施形態によるユーザ機器の概略構造図である。
【図９】本発明の別の実施形態によるユーザ機器の概略構造図である。
【図１０】本発明のさらに別の実施形態による基地局の概略構造図である。
【図１１】本発明のさらに別の実施形態によるユーザ機器の概略構造図である。
【発明を実施するための形態】
【００３５】
本発明の実施形態の目的、技術的解決策、および利点を明確にするために、以下に、本発明の実施形態の添付図面を参照して、本発明の実施形態の技術的解決策を明確かつ十分に説明する。当然ながら、説明する実施形態は、本発明の実施形態のいくつかであるが、全てではない。創造的労力無しに本発明の実施形態に基づいて当業者によって得られる他の全ての実施形態は、本発明の保護範囲内にある。
【００３６】
本明細書で説明する技術は、さまざまな通信システム、例えば、現在の2Gおよび3G通信システムおよび次世代通信システム、例えば、汎欧州ディジタル移動電話方式（Global System for Mobile communications、略して、GSM（登録商標））、符号分割多元接続（Code Division Multiple Access、略して、CDMA）システム、時分割多元接続（Time Division Multiple Access、略して、TDMA）システム、広帯域符号分割多元接続（Wideband Code Division Multiple Access Wireless、略して、WCDMA（登録商標））システム、周波数分割多元接続（Frequency Division Multiple Addressing、略して、FDMA）システム、直交周波数分割多元接続（Orthogonal Frequency-Division Multiple Access、略して、OFDMA）システム、単一キャリアFDMA（SC-FDMA）システム、汎用パケット無線サービス（General Packet Radio Service、略して、GPRS）システム、ロング・ターム・エボリューション（Long Term Evolution、略して、LTE）システム、および他の通信システムに適用することができる。
【００３７】
本明細書におけるユーザ機器は、無線ユーザ機器または有線ユーザ機器とすることができる。無線ユーザ機器は、ユーザに音声および／またはデータ接続を提供する機器、無線通信機能を有するハンドヘルドデバイス、または無線モデムに接続される別の処理デバイスとすることができる。無線ユーザ機器は、無線アクセスネットワーク（Radio Access Network、略して、RAN）を使用することによって、1つまたは複数のコアネットワークと通信することができる。無線ユーザ機器は、携帯電話（「セルラー」フォンとも称される）およびモバイルユーザ機器を伴うコンピュータなどの、モバイルユーザ機器とすることができ、例えば、無線アクセスネットワークと音声および／またはデータを交換する、ポータブル、ポケットサイズ、ハンドヘルド、コンピュータビルトイン、または車載モバイル装置とすることができる。例えば、パーソナル通信サービス（Personal Communication Service、略して、PCS）フォン、コードレス電話セット、セッション確立プロトコル（SIP）フォン、無線ローカルループ（Wireless Local Loop、略して、WLL）ステーション、または携帯情報端末（Personal Digital Assistant、略して、PDA）などのデバイスとすることができる。無線ユーザ機器はまた、システム、加入者ユニット（Subscriber Unit）加入者ステーション（Subscriber Station）、モバイルステーション（Mobile Station）、モバイルターミナル（Mobile）、リモートステーション（Remote Station）、アクセスポイント（Access Point）、リモートユーザ機器（Remote Terminal）、アクセスユーザ機器（Access Terminal）、ユーザ端末（User Terminal）、ユーザエージェント（User Agent）、ユーザデバイス（User Device）、またはユーザ機器（User Equipment）と称することもある。
【００３８】
本明細書における基地局は、CDMAにおける基地局（Base Transceiver Station、略して、BTS）とすることができ、またはWCDMA（登録商標）における基地局NodeBとすることができ、またはLTEにおける発展型NodeB（Evolutional Node B、略して、eNBまたはeNodeB）とすることができ、本発明では限定しないが、説明を簡単にするために、以下の実施形態では、説明のための一例として、NodeBを使用する。
【００３９】
図1は、本発明の一実施形態による空間ストリーム決定方法のフローチャートである。図1に示すように、本実施形態における方法は、以下を含むことができる。
【００４０】
ステップ101：基地局がフィードバックモード指示をユーザ機器に送信し、フィードバックモード指示は、ユーザ機器に、パケット粒度に基づいて、チャネル状態レポート（CSR）情報をフィードバックするように指示するために使用され、各パケット粒度は、少なくとも1つの空間ストリームを含む。
【００４１】
具体的には、基地局によってセル内のユーザ機器に送信されたフィードバックモード指示は、パケット粒度に基づき、各パケット粒度は、少なくとも1つの空間ストリームを含み、その結果、ユーザ機器は、空間ストリームのパケット粒度に従って、チャネル情報をフィードバックする。
【００４２】
ステップ102：基地局は、ユーザ機器によって送信された各パケット粒度のCSR情報を受信する。
【００４３】
本発明の一実施形態において、特に、各パケット粒度のCSR情報は、各パケット粒度における空間ストリームのチャネル品質の平均値についての情報、および各空間ストリームのチャネル品質と平均値との間の差についての情報を含む。各空間ストリームのチャネル品質情報を取得すると、ユーザ機器は、チャネル品質情報に従って、空間ストリームのチャネル品質の平均値についての情報、および各空間ストリームのチャネル品質と平均値との間の差についての情報を生成し、情報を、基地局にレポートすることができる。
【００４４】
本発明の別の実施形態において、基地局は、ユーザ機器によって送信されたCSR情報を受信し、CSR情報は、各パケット粒度における各空間ストリームのチャネル品質情報を含み、基地局は、計算により、各パケット粒度における各空間ストリームのチャネル品質情報に従って、空間ストリームのチャネル品質の平均値についての情報、および各空間ストリームのチャネル品質と平均値との間の差についての情報を取得することができる。
【００４５】
任意選択的に、ユーザ機器によって送信された各パケット粒度のCSR情報を受信する前に、基地局は、構成情報をユーザ機器にさらに送信することができ、構成情報は、以下のパラメータ、すなわち、各パケット粒度に含まれる空間ストリームの量、CSR情報によって占められる時間−周波数リソース、および異なるパケット粒度のCSR情報のフィードバック方式情報、のうちの少なくとも1つを含む。
【００４６】
例えば、データを送信することができる20の空間ストリームが、ユーザ機器と基地局との間に存在し、各パケット粒度が1つの空間ストリームを含む場合、特に、ユーザ機器は、各空間ストリームのチャネル品質情報を収集し、すなわち、20の空間ストリームのチャネル品質情報を収集し、次いで、1つのグループとして1つの空間ストリームを使用することによってチャネル品質情報に従ってCSR情報のセットを取得し、すなわち、20セットのCSR情報を生成し、次いで、20セットのCSR情報を基地局にフィードバックし、この場合では、基地局は、20セットのCSR情報を受信する。各パケット粒度が2つの空間ストリームを含む場合、特に、ユーザ機器はまた、各空間ストリームのチャネル品質情報を収集し、すなわち、20の空間ストリームのチャネル品質情報を収集し、次いで、1つのグループとして2つの空間ストリームを使用することによってチャネル品質情報に従ってCSR情報のセットを取得し、すなわち、10セットのCSR情報を生成し、次いで、10セットのCSR情報を基地局にフィードバックし、この場合では、基地局は、10セットのCSR情報を受信する。
【００４７】
さらに、各パケット粒度に含まれる空間ストリームの量は、チャネルのリアルタイム状況に従って基地局によって構成される。チャネルの伝送速度が安定していて、信号品質が比較的強い場合、各パケット粒度に含まれる空間ストリームの量は、可能な限り少なくすることができ、すなわち、ユーザによって基地局に送信されるCSR情報はより正確になり、例えば、各パケット粒度は、1つの空間ストリームを含むことができるが、チャネルの伝送速度が安定せず、信号品質が比較的弱い場合、各パケット粒度に含まれる空間ストリームの量は適切に増加することができ、例えば、各パケット粒度は、2つの空間ストリームまたは3つの空間ストリームを含むことができる。しかしながら、各パケット粒度に含まれる空間ストリームの量は、各コードワードに含まれる空間ストリームの量よりも少ない。任意選択的に、各パケット粒度に含まれる空間ストリームの量は、各コードワードに含まれる空間ストリームの量よりも少ない。さまざまなパケット粒度のCSR情報のフィードバック方式は、周期的フィードバック方式または非周期的フィードバック方式とすることができ、周期的フィードバック方式および非周期的フィードバック方式は、全体的な帯域幅をレポートすることか、またはユーザ機器によって帯域幅の最良部分を選択およびレポートすることをさらに含む。
【００４８】
ステップ103：基地局は、各パケット粒度のCSR情報に従って、データをユーザ機器に送信するために使用される空間ストリームを決定する。
【００４９】
具体的には、ユーザ機器によって送信されたCSR情報を受信すると、基地局は、各パケット粒度の空間ストリームのチャネル品質の平均値についての情報、および各空間ストリームのチャネル品質とCSR情報内の平均値との間の差についての情報に従って、各パケット粒度に含まれる空間ストリームのデータ伝送速度を予測し、次いで、予測されたデータ伝送速度に従って、システムの性能要件を包括的に考慮することによって、例えば、データをユーザ機器に送信するための空間ストリームの間のバランス、各パケット粒度に含まれる空間ストリームの性能ウェイトを計算し、その結果、最良の性能を有する空間ストリームのグループが、データ伝送を行うために選択され、すなわち、最大ウェイトを有する空間ストリームが、データ伝送を行うために選択され、または空間ストリームはまた各パケット粒度における空間ストリームのチャネル品質の平均値についての情報、および各空間ストリームのチャネル品質と平均値との間の差についての情報に従って均衡方式で選択することができ、その結果、空間ストリームの利用が向上する。
【００５０】
任意選択的に、基地局は、各パケット粒度のCSR情報に従って、相互直交空間ストリームを選択しようとする。
【００５１】
例えば、セルは、10のユーザ機器を有し、各ユーザ機器は、eNodeBと20の空間ストリームを確立する。本発明において、基地局は、ユーザ機器によってアップロードされた合計200の空間ストリームのCSR情報を取得し、その結果、基地局は、各ユーザ機器の全ての空間ストリームのCSR情報に従って、データ伝送を行うために品質の良い空間ストリームを選択することができ、選択された空間ストリームの間の直交性が最高となり、したがって、基地局は、第1のユーザ機器からチャネル品質が比較的良い10の空間ストリームを、および第2のユーザ機器からチャネル品質が比較的良い5つの空間ストリームを選択することなどができ、チャネル品質が比較的良く、2つの空間ストリームの間の直交性が最高である限り、選択された空間ストリームは、互いから分離させることができ、または互いに隣接させることができる。選択された空間ストリームの間の直交性が最高であるので、ユーザ機器端での層間干渉を除去することは比較的容易である。
【００５２】
本発明のこの実施形態によって提供される空間ストリーム決定方法では、基地局は、フィードバックモード指示をユーザ機器に送信し、フィードバックモード指示は、ユーザ機器に、パケット粒度に基づいて、チャネル状態レポート（CSR）情報をフィードバックするように指示するために使用され、各パケット粒度は、少なくとも1つの空間ストリームを含み、次いで、ユーザ機器によって送信された各パケット粒度のCSR情報を受信し、基地局は、各パケット粒度のCSR情報に従って、データをユーザ機器に伝送するために使用される空間ストリームを決定することができる。ユーザ機器は、CSR情報をレポートするためにパケット粒度として少なくとも1つの空間ストリームを使用するため、CSR情報は、より正確であり、それにより、ユーザに対して基地局によって、データを伝送するために使用される空間ストリームを選択することの適切性を改善し、システムリソースの利用をさらに向上させる。
【００５３】
図2は、本発明の別の実施形態による空間ストリーム決定方法のフローチャートである。図2に示すように、本実施形態における方法は、以下を含むことができる。
【００５４】
ステップ201：ユーザ機器が基地局によって送信されたフィードバックモード指示を受信し、フィードバックモード指示は、ユーザ機器に、パケット粒度に基づいて、チャネル状態レポート（CSR）情報をフィードバックするように指示するために使用され、各パケット粒度は、少なくとも1つの空間ストリームを含む。
【００５５】
具体的には、ユーザ機器は、基地局によって送信されたフィードバックモード指示を受信し、ユーザ機器は、フィードバックモード指示に従ってCSR情報をフィードバックし、各パケット粒度は、少なくとも1つの空間ストリームを含む。
【００５６】
ステップ202：ユーザ機器は、各空間ストリームのチャネル品質情報を測定し、チャネル品質情報に従って、各パケット粒度のCSR情報を取得する。
【００５７】
任意選択的に、ユーザ機器が各空間ストリームのチャネル品質情報を測定する前に、ユーザ機器は、基地局によって送信された構成メッセージを受信し、構成メッセージは、以下のパラメータ、すなわち、各パケット粒度に含まれる空間ストリームの量、CSR情報によって占められる時間−周波数リソース、および異なるパケット粒度のCSR情報のフィードバック方式情報、のうちの少なくとも1つを含む。
【００５８】
例えば、データを送信することができる20の空間ストリームが、ユーザ機器と基地局との間に存在し、各パケット粒度が1つの空間ストリームを含む場合、特に、ユーザ機器は、各空間ストリームのチャネル品質情報を収集し、すなわち、20の空間ストリームのチャネル品質情報を収集し、次いで、1つのグループとして1つの空間ストリームを使用することによってチャネル品質情報に従ってCSR情報のセットを取得し、すなわち、20セットのCSR情報を生成し、次いで、20セットのCSR情報を基地局にフィードバックし、この場合では、基地局は、20セットのCSR情報を受信する。各パケット粒度が2つの空間ストリームを含む場合、特に、ユーザ機器はまた、各空間ストリームのチャネル品質情報を収集し、すなわち、20の空間ストリームのチャネル品質情報を収集し、次いで、1つのグループとして2つの空間ストリームを使用することによってチャネル品質情報に従ってCSR情報のセットを取得し、すなわち、10セットのCSR情報を生成し、次いで、10セットのCSR情報を基地局にフィードバックし、この場合では、基地局は、10セットのCSR情報を受信する。
【００５９】
各パケット粒度に含まれる空間ストリームの量は、チャネルのリアルタイム状況に従って基地局によって構成される。チャネルの伝送速度が安定していて、信号品質が比較的強い場合、各パケット粒度に含まれる空間ストリームの量は、可能な限り少なくすることができ、すなわち、基地局に送信されるCSR情報はより正確になり、例えば、各パケット粒度は、1つの空間ストリームを含むことができるが、チャネルの伝送速度が安定せず、信号品質が比較的弱い場合、各パケット粒度に含まれる空間ストリームの量は適切に増加することができ、例えば、各パケット粒度は、2つの空間ストリームまたは3つの空間ストリームを含むことができる。しかしながら、各パケット粒度に含まれる空間ストリームの量は、各コードワードに含まれる空間ストリームの量よりも少ない。
【００６０】
本発明の一実施形態において、フィードバックモード指示と構成情報とに従って各空間ストリームのチャネル品質情報を測定すると、ユーザ機器は、各空間ストリームのチャネル品質情報を解析し、各パケット粒度における空間ストリームのチャネル品質の平均値についての情報、および各空間ストリームのチャネル品質と平均値との間の差についての情報を取得し、次いで、その情報を、CSR情報として基地局に送信し、その結果、基地局は、その情報に従ってユーザ機器に対して、データを送信するために使用される空間ストリームを直接決定することができる。
【００６１】
本発明の他の実施形態において、フィードバックモード指示と構成情報とに従って各空間ストリームのチャネル品質情報を測定すると、ユーザ機器は、チャネル品質情報をCSR情報として基地局に送信し、その結果、基地局は、解析を通じて、チャネル品質情報に従って、各パケット粒度における空間ストリームのチャネル品質の平均値についての情報、および各空間ストリームのチャネル品質と平均値との間の差についての情報を取得し、次いで、基地局は、解析を通じて取得された、各パケット粒度における空間ストリームのチャネル品質の平均値についての情報、および各空間ストリームのチャネル品質と平均値との間の差についての情報に従ってユーザ機器に対して、データを送信するために使用される空間ストリームを決定する。
【００６２】
さまざまなパケット粒度のCSR情報のフィードバック方式は、周期的フィードバック方式または非周期的フィードバック方式とすることができ、周期的フィードバック方式および非周期的フィードバック方式は、全体的な帯域幅をレポートすることか、またはユーザ機器によって帯域幅の最良部分を選択およびレポートすることをさらに含む。
【００６３】
ステップ203：ユーザ機器は、フィードバックモード指示に従って、基地局に各パケット粒度のCSR情報を送信する。
【００６４】
本発明の一実施形態において、フィードバックモード指示と構成情報とに従って各空間ストリームのチャネル品質情報を測定すると、ユーザ機器は、各空間ストリームのチャネル品質情報を解析し、各パケット粒度における空間ストリームのチャネル品質の平均値についての情報、および各空間ストリームのチャネル品質と平均値との間の差についての情報を取得し、次いで、その情報を、CSR情報として基地局に送信する。
【００６５】
本発明の他の実施形態において、フィードバックモード指示と構成情報とに従って各空間ストリームのチャネル品質情報を測定すると、ユーザ機器は、チャネル品質情報をCSR情報として基地局に送信する。
【００６６】
本発明のこの実施形態によって提供される空間ストリーム決定方法では、ユーザ機器は、基地局によって送信されたフィードバックモード指示を受信し、フィードバックモード指示は、ユーザ機器に、パケット粒度に基づいて、チャネル状態レポート（CSR）情報をフィードバックするように指示するために使用され、各パケット粒度は、少なくとも1つの空間ストリームを含み、次いで、ユーザ機器は、各空間ストリームのチャネル品質情報を測定し、チャネル品質情報に従って各パケット粒度のCSR情報を取得し、最後に、各パケット粒度のCSR情報を、フィードバックモード指示に従って、基地局に送信する。ユーザ機器は、CSR情報をレポートするためにパケット粒度として少なくとも1つの空間ストリームを使用するため、CSR情報は、より正確であり、それにより、ユーザに対して基地局によって、データを伝送するために使用される空間ストリームを選択することの適切性を改善し、システムリソースの利用をさらに向上させる。
【００６７】
図3は、本発明のさらに別の実施形態による空間ストリーム決定方法のフローチャートである。図3に示すように、この実施形態では、基地局とユーザ機器との間の特定の双方向処理を提供し、パケット粒度に含まれる空間ストリームの量は、1つである。本方法は、以下を含む。
【００６８】
ステップ301：基地局は、パケット粒度に基づくフィードバックモード指示を、ユーザ機器に送信する。
【００６９】
具体的には、基地局は、パケット粒度に基づくフィードバックモード指示を、セル内のユーザ機器に送信し、ユーザ機器に、パケット粒度の単位で、チャネル状態レポート（CSR）情報をフィードバックするように指示する。
【００７０】
ステップ302：基地局は、ユーザ機器に、フィードバックモードで送信された構成情報を送信する。
【００７１】
具体的には、基地局は、パケット粒度に基づくフィードバックモードにおける構成情報を、セル内のユーザ機器に送信し、構成情報は、各パケット粒度に含まれる空間ストリームの量、CSR情報によって占められる時間−周波数リソース、および異なるパケット粒度のCSR情報のフィードバック方式情報を含む。
【００７２】
各パケット粒度に含まれる空間ストリームの量は、1つである。
【００７３】
異なるパケット粒度のCSR情報のフィードバック方式は、周期的フィードバック方式または非周期的フィードバック方式とすることができ、周期的フィードバック方式および非周期的フィードバック方式は、全体的な帯域幅をレポートすることか、またはユーザ機器によって帯域幅の最良部分を選択およびレポートすることをさらに含む。
【００７４】
ステップ303：ユーザ機器は、パケット粒度に基づくCSR情報をフィードバックする。
【００７５】
具体的には、ユーザ機器が各空間ストリームのチャネル品質情報を測定すると、パケット粒度は1つの空間ストリームであるので、ユーザ機器は、各空間ストリームの測定されたチャネル品質情報をCSR情報として基地局に送信する。
【００７６】
ステップ304a：基地局は、スケジューリング情報を送信する。
【００７７】
具体的には、基地局は、各空間ストリームのCSR情報に従って、データをユーザ機器に送信するために使用される空間ストリームを決定する。
【００７８】
ユーザ機器によって送信された各パケット粒度における各空間ストリームのチャネル品質情報を受信すると、基地局は、各空間ストリームのデータ伝送速度を予測し、次いで、予測されたデータ伝送速度に従って、システムの性能要件を包括的に考慮することによって、例えば、データをユーザ機器に送信するための空間ストリームの間のバランス、空間ストリームの性能ウェイトを計算し、その結果、性能が最良となる空間ストリームのグループが、データ伝送を実行するために選択され、すなわち、ウェイトが最大となる空間ストリームが、データ伝送を実行するために選択される。
【００７９】
任意選択的に、基地局は、各空間ストリームのCSR情報に従って、データをユーザに対して送信するために、できる限り互いに直交するチャネルを選択する。
【００８０】
ステップ304b：基地局は、データをユーザに送信する。
【００８１】
具体的には、ユーザに対して最良の性能を有する空間ストリームのグループを選択すると、基地局は、これらの空間ストリームを使用して、ユーザにデータを送信する。
【００８２】
本発明のこの実施形態によって提供される空間ストリーム決定方法では、基地局は、ユーザ機器に、フィードバックモードで送信されたパケット粒度に基づくフィードバックモード指示と構成情報とを送信し、ユーザ機器は、フィードバックモード指示と構成情報とを受信し、各空間ストリームのチャネル品質情報を測定し、チャネル品質情報を基地局にフィードバックし、基地局は、フィードバックされたCSR情報に従って、データ伝送を行うために最良の性能を有する空間ストリームのグループを選択する。パケット粒度が1つの空間ストリームを含むので、レポートされたCSR情報は、より正確であり、それによって、ユーザに対して基地局により、データを送信するために使用される空間ストリームの選択の適切性を保証し、システムリソースを完全に使用する。
【００８３】
図4は、本発明のさらに別の実施形態による空間ストリーム決定方法のフローチャートである。図4に示すように、この実施形態は、基地局とユーザ機器との間の特定の双方向処理を提供し、パケット粒度に含まれる空間ストリームの量は、2つ以上であり、各コードワードに含まれる空間ストリームの量よりも少ない。本方法は、以下を含む。
【００８４】
ステップ401：基地局は、パケット粒度に基づくフィードバックモード指示を、ユーザ機器に送信する。
【００８５】
具体的には、基地局は、パケット粒度に基づくフィードバックモード指示を、セル内のユーザ機器に送信し、ユーザ機器に、パケット粒度の単位で、チャネル状態レポート（CSR）情報をフィードバックするように指示する。
【００８６】
ステップ402：基地局は、ユーザ機器に、フィードバックモードで送信された構成情報を送信する。
【００８７】
具体的には、基地局は、パケット粒度に基づくフィードバックモードにおける構成情報を、セル内のユーザ機器に送信し、構成情報は、各パケット粒度に含まれる空間ストリームの量、CSR情報によって占められる時間−周波数リソース、および異なるパケット粒度のCSR情報のフィードバック方式情報を含む。
【００８８】
各パケット粒度に含まれる空間ストリームの量は、チャネルのリアルタイム状況に従って基地局によって構成することができる。チャネルの伝送速度が安定していて、信号品質が比較的強い場合、各パケット粒度に含まれる空間ストリームの量は、可能な限り少なくすることができ、すなわち、基地局に送信されるCSR情報はより正確になり、例えば、各パケット粒度は、1つの空間ストリームを含むことができるが、チャネルの伝送速度が安定せず、信号品質が比較的弱い場合、各パケット粒度に含まれる空間ストリームの量は適切に増加することができ、例えば、各パケット粒度は、2つの空間ストリームまたは3つの空間ストリームを含むことができる。しかしながら、各パケット粒度に含まれる空間ストリームの量は、各コードワードに含まれる空間ストリームの量よりも少ない。
【００８９】
この実施形態において、各パケット粒度は、1つの空間ストリームを含む。
【００９０】
異なるパケット粒度のCSR情報のフィードバック方式は、周期的フィードバック方式または非周期的フィードバック方式とすることができ、周期的フィードバック方式および非周期的フィードバック方式は、全体的な帯域幅をレポートすることか、またはユーザ機器によって帯域幅の最良部分を選択およびレポートすることをさらに含む。ステップ403：ユーザ機器は、パケット粒度に基づくCSR情報をフィードバックする。
【００９１】
具体的には、セル内のユーザ機器が基地局によって送信されたパケット粒度に基づくフィードバックモード指示と構成情報とを受信すると、ユーザ機器は、まず、各空間ストリームのチャネル品質情報を収集し、次いで、フィードバックモード指示と構成情報とに従って各空間ストリームのチャネル品質情報を解析し、各パケット粒度における空間ストリームのチャネル品質の平均値についての情報、および各空間ストリームのチャネル品質と平均値との間の差についての情報を取得し、次いで、CSR情報を基地局に送信し、CSR情報は、各パケット粒度における空間ストリームのチャネル品質の平均値についての情報、および各空間ストリームのチャネル品質と平均値との間の差についての情報を含む。
【００９２】
任意選択的に、セル内のユーザ機器が基地局によって送信されたパケット粒度に基づいたフィードバックモード指示と構成情報とを受信すると、ユーザ機器は、まず、各空間ストリームのチャネル品質情報を収集し、次いで、チャネル品質情報をCSR情報として基地局に送信し、その結果、基地局は、解析を通じて、チャネル品質情報に従って、各パケット粒度における空間ストリームのチャネル品質の平均値についての情報、および各空間ストリームのチャネル品質と平均値との間の差についての情報を取得し、次いで、基地局は、解析を通じて取得された、各パケット粒度における空間ストリームのチャネル品質の平均値についての情報、および各空間ストリームのチャネル品質と平均値との間の差についての情報に従ってユーザ機器に対して、データを送信するために使用される空間ストリームを決定する。
【００９３】
ステップ404a：基地局は、スケジューリング情報を送信する。
【００９４】
具体的には、各パケット粒度における空間ストリームのチャネル品質の平均値についての情報、およびユーザ機器によって送信された各空間ストリームのチャネル品質と平均値との間の差についての情報を受信すると、基地局は、各パケット粒度に含まれる空間ストリームのデータ伝送速度を予測し、次いで、予測されたデータ伝送速度に従って、システムの性能要件を包括的に考慮することによって、例えば、データをユーザ機器に送信するための空間ストリームの間のバランス、各パケット粒度に含まれる空間ストリームの性能ウェイトを計算し、その結果、性能が最良となる空間ストリームのグループが、データ伝送を実行するために選択され、すなわち、最大ウェイトを有する空間ストリームが、データ伝送を実行するために選択される。
【００９５】
任意選択的に、ユーザ機器によってアップロードされて、基地局によって受信されたCSR情報が各パケット粒度における各空間ストリームのチャネル品質情報を含む場合、基地局は、各パケット粒度における各空間ストリームのチャネル品質情報に従って、空間ストリームのチャネル品質の平均値についての情報、および各空間ストリームのチャネル品質と平均値との間の差についての情報を取得し、各パケット粒度に含まれる空間ストリームのデータ伝送速度を予測し、次いで、予測されたデータ伝送速度に従って、システムの性能要件を包括的に考慮することによって、例えば、データをユーザ機器に送信するための空間ストリームの間のバランス、各パケット粒度に含まれる空間ストリームの性能ウェイトを計算し、その結果、性能が最良となる空間ストリームのグループが、データ伝送を実行するために選択され、すなわち、最大ウェイトを有する空間ストリームが、データ伝送を実行するために選択される。
【００９６】
任意選択的に、基地局は、各パケット粒度における各空間ストリームのCSR情報に従って、データをユーザに対して送信するために、できる限り互いに直交するチャネルを選択する。
【００９７】
ステップ404b：基地局は、データをユーザに送信する。
【００９８】
具体的には、ユーザに対して最良の性能を有する空間ストリームのグループを選択すると、基地局は、これらの空間ストリームを使用して、ユーザにデータを送信する。
【００９９】
本発明のこの実施形態により提供される空間ストリーム決定方法では、基地局は、ユーザ機器に、フィードバックモードで送信されたパケット粒度に基づくフィードバックモード指示と構成情報とを送信し、ユーザ機器は、フィードバックモード指示と構成情報とを受信し、各パケット粒度のCSR情報をフィードバックし、最後に、基地局が、各パケット粒度のCSR情報に従って、データをユーザ機器に送信するために使用される空間ストリームを決定することができる。パケット粒度に含まれる空間ストリームの量は、コードワードに含まれる空間ストリームの量よりも少ないので、CSR情報はより正確であり、それにより、ユーザに対して基地局によって、データを送信するために使用される空間ストリームを選択することの適切性を改善し、システムリソースの利用をさらに向上させる。
【０１００】
図5は、本発明の一実施形態による基地局の概略構造図である。図5に示すように、基地局100は、第1の送信モジュール101、受信モジュール102、および第1の決定モジュール103を含み、
第1の送信モジュール101は、フィードバックモード指示をユーザ機器に送信するように構成され、フィードバックモード指示は、ユーザ機器に、パケット粒度に基づいて、チャネル状態レポート（CSR）情報をフィードバックするように指示するために使用され、各パケット粒度は、少なくとも1つの空間ストリームを含み、
受信モジュール102は、ユーザ機器によって送信された各パケット粒度のCSR情報を受信するように構成され、
第1の決定モジュール103は、各パケット粒度のCSR情報に従って、データをユーザ機器に送信するために使用される空間ストリームを決定するために使用される。
【０１０１】
さらに、図6に示すように、基地局は、受信モジュール102が、ユーザ機器によって送信された各パケット粒度のCSR情報を受信する前に、構成情報をユーザ機器に送信するように構成された第2の送信モジュール104をさらに含むことができ、構成情報は、以下のパラメータ、すなわち、各パケット粒度に含まれる空間ストリームの量、CSR情報によって占められる時間−周波数リソース、および異なるパケット粒度のCSR情報のフィードバック方式情報、のうちの少なくとも1つを含む。
【０１０２】
任意選択的に、各パケット粒度のCSR情報は、各パケット粒度における空間ストリームのチャネル品質の平均値についての情報、および各空間ストリームのチャネル品質と平均値との間の差についての情報を含む。
【０１０３】
さらに、図7に示すように、基地局100は、第2の決定モジュール105をさらに含むことができ、
各パケット粒度のCSR情報は、各パケット粒度における各空間ストリームのチャネル品質情報を含み、
第2の決定モジュール105は、受信モジュール102が、ユーザ機器によって送信された各パケット粒度のCSR情報を受信した後、各パケット粒度における各空間ストリームのチャネル品質情報に従って、各パケット粒度における空間ストリームのチャネル品質の平均値についての情報、および各空間ストリームのチャネル品質と平均値との間の差についての情報を決定するように構成される。
【０１０４】
任意選択的に、各パケット粒度に含まれる空間ストリームの量は、各コードワードに含まれる空間ストリームの量よりも少ない。
【０１０５】
本発明のこの実施形態によって提供される基地局は、本発明の第1の実施形態によって提供される空間ストリーム決定方法を実行するための、および基地局によって空間ストリーム決定方法を実行する特定の処理のためのデバイスであり、図1での方法実施形態での関連説明を参照することができ、詳細は、本明細書で再度説明しない。
【０１０６】
図8は、本発明の一実施形態によるユーザ機器の概略構造図である。図8に示すように、ユーザ機器200は、第1の受信モジュール201、測定モジュール202、および送信モジュール203を含み、
第1の受信モジュール201は、基地局によって送信されたフィードバックモード指示を受信するように構成され、フィードバックモード指示が、ユーザ機器に、パケット粒度に基づいて、チャネル状態レポート（CSR）情報をフィードバックするように指示するために使用され、各パケット粒度が、少なくとも1つの空間ストリームを含み、
測定モジュール202は、各空間ストリームのチャネル品質情報を測定し、チャネル品質情報に従って各パケット粒度のCSR情報を取得するように構成され、
送信モジュール203は、各パケット粒度のCSR情報を、第1の受信モジュール201が受信したフィードバックモード指示に従って、基地局に送信するように構成される。
【０１０７】
さらに、図9に示すように、ユーザ機器200は、測定モジュール202が各空間ストリームのチャネル品質情報を測定する前に、基地局によって送信された構成情報を受信するように構成された第2の受信モジュール204をさらに含むことができ、構成情報は、以下のパラメータ、すなわち、各パケット粒度に含まれる空間ストリームの量、CSR情報によって占められる時間−周波数リソース、および異なるパケット粒度のCSR情報のフィードバック方式情報、のうちの少なくとも1つを含む。
【０１０８】
任意選択的に、各パケット粒度のCSR情報は、各パケット粒度における空間ストリームのチャネル品質の平均値についての情報、および各空間ストリームのチャネル品質と平均値との間の差についての情報を含むか、または各パケット粒度のCSR情報は、各パケット粒度における各空間ストリームのチャネル品質情報を含む。
【０１０９】
任意選択的に、各パケット粒度に含まれる空間ストリームの量は、各コードワードに含まれる空間ストリームの量よりも少ない。
【０１１０】
本発明のこの実施形態によって提供されるユーザ機器は、本発明の第2の実施形態によって提供される空間ストリーム決定方法を実行するための、およびユーザ機器によって空間ストリーム決定方法を実行する特定の処理のためのデバイスであり、図2での方法実施形態での関連説明を参照することができ、詳細は、本明細書で再度説明しない。
【０１１１】
図10は、本発明のさらに別の実施形態による基地局の概略構造図である。図10に示すように、基地局300は、送信器301、受信器302、およびプロセッサ303を含み、
送信器301は、フィードバックモード指示をユーザ機器に送信するように構成され、フィードバックモード指示が、ユーザ機器に、パケット粒度に基づいて、チャネル状態レポート（CSR）情報をフィードバックするように指示するために使用され、各パケット粒度が、少なくとも1つの空間ストリームを含み、
受信器302は、ユーザ機器によって送信された各パケット粒度のCSR情報を受信するように構成され、
プロセッサ303は、各パケット粒度のCSR情報に従って、データを、ユーザ機器に伝送するために使用される空間ストリームを決定するように構成される。
【０１１２】
任意選択的に、送信器301は、受信器302がユーザ機器によって送信された各パケット粒度のCSR情報を受信する前に、構成情報をユーザ機器に送信するようさらに構成され、構成情報は、以下のパラメータ、すなわち、各パケット粒度に含まれる空間ストリームの量、CSR情報によって占められる時間−周波数リソース、および異なるパケット粒度のCSR情報のフィードバック方式情報、のうちの少なくとも1つを含む。
【０１１３】
任意選択的に、各パケット粒度のCSR情報は、各パケット粒度における空間ストリームのチャネル品質の平均値についての情報、および各空間ストリームのチャネル品質と平均値との間の差についての情報を含む。
【０１１４】
任意選択的に、各パケット粒度のCSR情報は、各パケット粒度における各空間ストリームのチャネル品質情報を含む。
【０１１５】
プロセッサ303は、受信器302がユーザ機器によって送信された各パケット粒度のCSR情報を受信した後、各空間ストリームのチャネル品質情報に従って、各パケット粒度における空間ストリームのチャネル品質の平均値についての情報、および各パケット粒度における各空間ストリームのチャネル品質と平均値との間の差についての情報を決定するようにさらに構成される。
【０１１６】
任意選択的に、各パケット粒度に含まれる空間ストリームの量は、各コードワードに含まれる空間ストリームの量よりも少ない。
【０１１７】
本発明のこの実施形態によって提供される基地局は、本発明の第1の実施形態によって提供される空間ストリーム決定方法を実行するための、および基地局によって空間ストリーム決定方法を実行する特定の処理のためのデバイスであり、図1での方法実施形態での関連説明を参照することができ、詳細は、本明細書で再度説明しない。
【０１１８】
図11は、本発明のさらに別の実施形態によるユーザ機器の概略構造図である。図11に示すように、ユーザ機器400は、受信器401、プロセッサ402、および送信器403を含み、
受信器401は、基地局によって送信されたフィードバックモード指示を受信するように構成され、フィードバックモード指示が、ユーザ機器に、パケット粒度に基づいて、チャネル状態レポート（CSR）情報をフィードバックするように指示するために使用され、各パケット粒度が、少なくとも1つの空間ストリームを含み、
プロセッサ402は、各空間ストリームのチャネル品質情報を測定し、チャネル品質情報に従って各パケット粒度のCSR情報を取得するように構成され、
送信器403は、各パケット粒度のCSR情報を、受信器401が受信したフィードバックモード指示に従って、基地局に送信するように構成される。
【０１１９】
任意選択的に、受信器401は、プロセッサ402が各空間ストリームのチャネル品質情報を測定する前に、基地局によって送信された構成情報を受信するようさらに構成され、構成情報は、以下のパラメータ、すなわち、各パケット粒度に含まれる空間ストリームの量、CSR情報によって占められる時間−周波数リソース、および異なるパケット粒度のCSR情報のフィードバック方式情報、のうちの少なくとも1つを含む。
【０１２０】
任意選択的に、各パケット粒度のCSR情報は、各パケット粒度における空間ストリームのチャネル品質の平均値についての情報、および各空間ストリームのチャネル品質と平均値との間の差についての情報を含むか、または各パケット粒度のCSR情報は、各パケット粒度における各空間ストリームのチャネル品質情報を含む。
【０１２１】
任意選択的に、各パケット粒度に含まれる空間ストリームの量は、各コードワードに含まれる空間ストリームの量よりも少ない。
【０１２２】
本発明のこの実施形態によって提供されるユーザ機器は、本発明の第2の実施形態によって提供される空間ストリーム決定方法を実行するための、およびユーザ機器によって空間ストリーム決定方法を実行する特定の処理のためのデバイスであり、図2での方法実施形態での関連説明を参照することができ、詳細は、本明細書で再度説明しない。
【０１２３】
当業者は、本方法実施形態のステップの全てまたは一部が、関連ハードウェアに指示するプログラムによって実現することができることを理解されよう。プログラムは、コンピュータ読込み可能記憶媒体に記憶してもよい。プログラムを実行する場合、本方法実施形態のステップが実行される。上記のストレージメディアは、ROM、RAM、磁気ディスク、または光ディスクなどの、プログラムコードを格納することができる任意のメディアを含む。
【０１２４】
最後に、上記実施形態は、単に本発明の技術的解決策を説明するためのものであり、本発明を限定するものではないことに留意されたい。本発明は、上記の実施形態により詳細に説明されたが、本発明の実施形態の技術的解決策の範囲から逸脱することなく、上記の実施形態で説明した技術的解決策にさらに修正することができること、またはそのいくつかの、もしくは全ての技術的特徴と同等の代替物を生成できることを、当業者は理解すべきである。
【符号の説明】
【０１２５】
100  基地局
101  第1の送信モジュール
102  受信モジュール
103  第1の決定モジュール
104  第2の送信モジュール
105  第2の決定モジュール
200  ユーザ機器
201  第1の受信モジュール
202  測定モジュール
203  送信モジュール
204  第2の受信モジュール
300  基地局
301  送信器
302  受信器
303  プロセッサ
400  ユーザ機器
401  受信器
402  プロセッサ
403  送信器
【図１】
2019024255.tif 000003
【図２】
2019024255.tif 000004
【図３】
2019024255.tif 000005
【図４】
2019024255.tif 000006
【図５】
2019024255.tif 000007
【図６】
2019024255.tif 000008
【図７】
2019024255.tif 000009
【図８】
2019024255.tif 000010
【図９】
2019024255.tif 000011
【図１０】
2019024255.tif 000012
【図１１】
2019024255.tif 000013
【外国語明細書】
2019024255000001.pdf